(57)【要約】本発明は、概して通信、特にベースバンド及びＲＦ（無線周波数）信号を変調する方法及び装置に関する。入力信号ｘ（ｔ）を出力信号ｙ（ｔ）にアップコンバートするモジュレータトポロジが開示されており、アップコンバージョンは、入力信号を２つの混合信号φ１及びφ２と混合する（「擬似直接変換」モード）ことにより、あるいは、１つの混合信号φ２と混合する（「直接変換」モード）ことにより行われる。擬似直接変換モードでは、φ１及びφ２混合信号は、局部発振信号をエミュレートする。φ１＊φ２の積は、局部発振信号がエミュレートされる周波数で著しい力（パワー）をもつ。しかしながら、ＬＯ信号または出力信号φ１φ２ｘ（ｔ）がエミュレートされる場合、φ１及びφ２のどちらも入力信号ｘ（ｔ）の周波数で著しい力をもつことはない。
2006515498.tif 000002
【特許請求の範囲】
【請求項１】
入力信号ｘ（ｔ）を出力信号ｙ（ｔ）に変調する回路であって、前記回路は、
ＲＦ信号と第１混合信号ｆ１とが入力され、前記２つの入力信号を基に混合された信号を出力する第１ミキサと、
ＲＦ信号と第２混合信号ｆ２とが入力され、前記２つの入力信号を基に混合された信号を出力する第２ミキサであって、前記出力が前記出力信号ｙ（ｔ）を提供し、前記第１ミキサの出力が前記第２ミキサのＲＦ信号入力に接続されている第２ミキサと、
入力が１つと出力が２つのスイッチであって、前記入力として前記入力信号ｘ（ｔ）を受け取り、前記２つの出力が、前記第１ミキサ及び前記第２ミキサの前記ＲＦ信号入力のそれぞれに接続されていて、前記スイッチは、前記入力信号ｘ（ｔ）を前記第１ミキサまたは前記第２ミキサのいずれかに入力するように選択的に制御されるスイッチと、
マルチトーン混合信号φ１を生成して、第１混合信号として前記第１ミキサに提供する第１信号発生装置と、
モノトーン混合信号φ２を生成して、第２混合信号として前記第２ミキサに提供する第２信号発生装置と、
前記スイッチの位置と、前記第１信号発生器及び前記第２信号発生器により生成された信号を制御する制御回路と
を備え、前記制御回路には２つのモードがあり、
第１モードでは、前記スイッチが、前記入力信号ｘ（ｔ）を前記第２ミキサに入力するように置かれ、前記第２信号発生器が、直接変換型発振信号を生成し、
第２モードでは、前記スイッチが、前記入力信号ｘ（ｔ）を前記第１ミキサに入力するように置かれ、前記第１及び第２信号発生器が制御されて、一対の仮想局部発振信号が生成され、φ１＊φ２の積が、局部発振器信号がエミュレートされる周波数で著しい力（パワー）を有し、前記入力信号ｘ（ｔ）または前記ＬＯ信号がエミュレートされる周波数においては、前記φ１及び前記φ２のどちらも著しい力を有しない回路。
【請求項２】
さらに、前記第２ミキサの後に、可変ゲイン増幅器を備えることを特徴とする請求項１に記載の回路。
【請求項３】
さらに、前記第１ミキサの後に、可変ゲイン増幅器を備えることを特徴とする請求項１に記載の回路。
【請求項４】
さらに、前記スイッチの前に、増幅器を備えることを特徴とする請求項１に記載の回路。
【請求項５】
さらに、前記第２ミキサの後に、増幅器を備えることを特徴とする請求項１に記載の回路。
【請求項６】
前記増幅器のそれぞれと前記ミキサのそれぞれとが、差動装置であることを特徴とする請求項１に記載の回路。
【請求項７】
請求項１のものと同様の２つの変調チャネルである、同相入力信号を変調するための第１チャネルと、直交入力信号を変調するための第２チャネルと、
前記第１チャネルと前記第２チャネルとの出力を結合する加算器とを備えたトランスミッタ。
【請求項８】
さらに、前記加算器の後に、可変ゲイン増幅器を備えることを特徴とする請求項７に記載のトランスミッタ。
【請求項９】
さらに、前記加算器の後に、増幅器を備えることを特徴とする請求項７に記載のトランスミッタ。
【請求項１０】
前記増幅器のそれぞれと前記ミキサのそれぞれとが、差動装置であることを特徴とする請求項７に記載の回路。
【請求項１１】
入力信号ｘ（ｔ）を出力信号ｙ（ｔ）に変調する回路であって、前記回路は、
ＲＦ信号と第１混合信号ｆ１とが入力され、前記２つの入力信号を基に混合された信号を出力する第１ミキサと、
ＲＦ信号と第２混合信号ｆ２とが入力され、前記２つの入力信号を基に混合された信号を出力する第２ミキサであって、前記出力が前記出力信号ｙ（ｔ）を提供し、前記第１ミキサの出力が前記第２ミキサのＲＦ信号入力に接続されている第２ミキサと、
マルチトーン混合信号φ１または定値信号を生成して、第１混合信号として前記第１ミキサに提供する第１信号発生器と、
モノトーン混合信号φ２を生成して、第２混合信号として前記第２ミキサに提供する第２信号発生器と、
前記第１信号発生器及び前記第２信号発生器により生成された信号を制御する制御回路と、
を備え、前記制御回路には２つのモードがあり、
第１モードでは、前記第１信号発生器が制御されて定値信号が生成されるとともに、前記第２信号発生器が制御されて直接変換型発振信号が生成され、
第２モードでは、前記第１及び第２信号発生器が制御されて、一対の仮想局部発振信号が生成され、φ１＊φ２の積が、局部発振器信号がエミュレートされる周波数で著しい力を有し、前記入力信号ｘ（ｔ）または前記ＬＯ信号がエミュレートされる周波数においては、前記φ１及び前記φ２のどちらも著しい力を有しない回路。
【請求項１２】
さらに、フィルタと、
前記第１及び第２ミキサとの間に、一列になるように、前記フィルタを選択的に配置するスイッチと
を備え、
前記スイッチは、前記制御回路により制御されることを特徴とする請求項１１に記載の回路。
【請求項１３】
さらに、前記第２ミキサの後に、可変ゲイン増幅器を備えることを特徴とする請求項１１に記載の回路。
【請求項１４】
さらに、前記第１ミキサの後に、可変ゲイン増幅器を備えることを特徴とする請求項１１に記載の回路。
【請求項１５】
さらに、前記第１ミキサの前に、増幅器を備えることを特徴とする請求項１１に記載の回路。
【請求項１６】
さらに、前記第２ミキサの後に、増幅器を備えることを特徴とする請求項１１に記載の回路。
【請求項１７】
前記増幅器のそれぞれと前記ミキサのそれぞれとが、差動装置であることを特徴とする請求項１１に記載の回路。
【請求項１８】
請求項１１のものと同様の２つの変調チャネルである、同相入力信号を変調するための第１チャネルと、直交入力信号を変調するための第２チャネルと、
前記第１チャネルと前記第２チャネルとの出力を結合する加算器とを備えたトランスミッタ。
【発明の詳細な説明】
【発明の詳細な説明】
【０００１】
本発明は、概して通信、特にベースバンド及びＲＦ（無線周波数）信号を変調する方法及び装置に関する。本発明の好ましい実施例は、低価格で高性能な、完全に統合が可能で多規格のトランスミッタへの要求を満足させる。
発明の背景
多くの通信システムが、通信のために電磁信号をベースバンドから高周波数に変調し、ついで、その信号が受信機に届くと、高周波数から元の周波数帯に復調する。元の（あるいはベースバンド）信号は、例えば、データ、音声またはビデオである。これらのベースバンド信号は、マイクやビデオカメラなどの変換器により生成されたり、コンピュータにより生成されたり、電子記憶装置から転送されたりする。一般的に、高周波数信号は、ベースバンド信号より長距離かつ高容量のチャネルを提供する。高周波数信号は、空気中に効果的に伝播可能なため、無線通信だけでなく、有線または波導チャネルにも使用することができる。
【０００２】
これらの信号はすべて、一般的に、ＲＦ信号と称される電磁信号である。すなわち、本来、電波の伝播に関連する電磁スペクトルのうちの電気的及び磁気的特性を備えた波形である。
【０００３】
このような変調及び復調技術を採用する有線通信システムは、ローカルエリアネットワーク（ＬＡＮ）、２地点間通信、インターネットのような広域ネットワーク（ＷＡＮ）などのコンピュータ通信システムを含む。これらのネットワークは、一般的に、データ信号を導電性のあるチャネル、あるいは、光ファイバチャネルを通じて通信する。変調及び復調技術を採用する無線通信システムは、ＡＭ及びＦＭラジオ、ＵＨＦ及びＶＨＦテレビなどの公共放送のためのシステムを含む。専用通信システムは、携帯電話ネットワーク、専用ページング装置、タクシーサービスで使用されるＨＦ無線システム、マイクロ波基幹ネットワーク、ブルートゥース規格における相互接続機器、衛星通信を含む。ＲＦ変調及び復調を使用するその他の有線及び無線システムは、当業者にとっては既知であろう。
【０００４】
近年、複数の規格で動作する無線装置の提供が望む声が非常に高い。このような装置の提供は、例えば、ユーザが、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）規格を使用するある国からＣＤＭＡ（符号分割多重接続）規格を使用する別の国へ移動する際でも、携帯電話に本物の可動性を付与できる。
【０００５】
また、より安価であまり電力を消費せず、より小さくて軽量の装置を提供するために、そのような装置を完全に統合された形で提供することが望まれている。外部フィルタなどの分離した電子部品は、物理的に大きく、比較的高価であり、統合された部品より多くの電力を消費する。
【０００６】
従来の、統合されたトランスミッタのアーキテクチャには、複数の規格にわたって動作を可能にする単一のトランスミッタ（すなわち、多規格／マルチモードトランスミッタ）を実現するという状況において、様々な限界がある。多くのトランスミッタのアーキテクチャが提案されてきたが、そのどれも効果的でない。これらの設計は、通常、複数の独立した信号パス、すなわち、単一パス及び各周波数規格用の一連のコンポーネント及び／または一連の作動状態、によりこの機能を提供している。これは高価で物理的にかさばるやり方で、上記のパフォーマンスの問題全てについて悩まされることとなる。
【０００７】
例えば、間接変調は、単一モード通信については実績のあるアーキテクチャであり、雑音、直線性、出力／ゲイン制御の点で、全般的に高いパフォーマンスを示すという利点を有している。しかしながら、このアーキテクチャは、ＩＦ及びＲＦフィルタを必要とするため、実現するのには比較的費用がかかる。その上、小型で安価なマルチモード、多帯域トランスミッタの実現は、通常、間接変調を使用しては不可能である。
【０００８】
間接変調トランスミッタは、２段階周波数変換方法を使用して、ベースバンド信号またはＲＦ信号を高周波数信号に変換する。図１は、典型的な間接変調トランスミッタ１０のブロック図を示す。ミキサ１２及び１４は、入力信号Ｓｉｎ（通常はベースバンド信号であるが、ＲＦ信号であってもよい）をより高いＲＦ周波数（たいていは、通信される信号のキャリア周波数）、すなわち、出力信号Ｓｏｕｔ、に変換するために使用される。コンポーネントの均衡により、処理される信号が増幅され、そこから雑音が取り除かれる。
【０００９】
はじめに、増幅器２２がベースバンド信号をバッファリングして増幅し、続く処理で扱うのに適したレベルにする。増幅された信号は、その後、ローパスフィルタまたはバンドパスフィルタ２４によりフィルタリングされて、干渉を引き起こすかもしれない不要な信号が除去される。除去後の信号は、ミキサ１２に入力され、ミキサ１２は、フィルタ２４からの信号を、局部発振器（ＬＯ１）２６により生成される周期信号と混合する。この結果、Ｓｉｎ信号が、第１中間周波数（ＩＦ１）として知られる、より高周波の信号に変換される。
【００１０】
一般的に、ミキサは、その入力として２つの異なる周波数信号を受け入れて、その出力として以下の信号を提供する回路または装置である。
（ａ）入力信号の周波数の和に等しい周波数の信号、
（ｂ）入力信号の周波数間の差に等しい周波数の信号、
（ｃ）元の入力周波数。
【００１１】
ミキサの代表例は、上述したものより著しく多くのトーンを生成するデジタルスイッチである。
ＩＦ１信号は、次に、主としてチャネルフィルタと呼ばれるバンドパスフィルタ２８によりフィルタリングされる。バンドパスフィルタ２８は、ＩＦ１周波数を中心としており、第１の混合処理における不要の産物、上記信号（ａ）及び（ｃ）、を取り除く。これは、第２の混合処理を行う際に、これらの信号が所望の信号に干渉しないようにするために必要とされる。
【００１２】
信号は、その後、中間周波数増幅器（ＩＦＡ）３０により増幅され、ミキサ１４及び局部発振器（ＬＯ２）３２を使って、第２の局部発振器信号と混合される。第２局部発振器ＬＯ２  ３２は、ＩＦ１信号を所望の通信周波数またはキャリア周波数に変調するのに使用される周期信号を生成する。この結果、１４の出力によりもたらされる信号は、所望の通信周波数をもつ。ハイパスフィルタまたはバンドパスフィルタ３８の使用により、所望の信号から雑音が除去され、ついで、信号は、増幅器４０により増幅されて送信可能となる。
【００１３】
あらゆる電気信号をある周波数から別の周波数へ変調または復調するのに、同じ処理を利用できることに留意されたい。
間接変換設計の主な問題は、以下の通りである。
・高価な外部コンポーネント、具体的にはフィルタ２４，２８，３８、を必要とする    点、
・外部コンポーネントが、消費電力を増加し、システムゲインを縮小するという設計    上の妥協を要求する点、
・イメージリジェクションが、対象となる統合技術によってではなく、外部コンポー    ネントにより制限される点、
・デジタル雑音からの分離が問題となりうる点、
・完全統合が可能でない点。
【００１４】
間接変換システムにおいて使用されるフィルタ２４，２８，３８は、高品質な装置でなくてはならず、その結果、電子的に整調可能なフィルタを使用できない。また、多規格／マルチ周波の適用において間接変換システムを使用する唯一の方法は、周波数ごとに別々の外部フィルタ一式を使用することである。明らかにこれは、多規格／マルチ周波トランスミッタを提供するのに効果的なやり方でない。
【００１５】
無線通信産業（特に、低電力の、携帯／微小携帯、音声／データパーソナル通信システム）における重要な周波数が、これまで使用されてきた周波数（およそ９００ＭＨｚ）を超えて１ＧＨｚを超えるスペクトルにまで上昇していることを考えると、低価格で電気効率のよいトランスミッタの実現が継続的に望まれているということは、非常に挑戦的であることがわかる。
【００１６】
よって、上記の問題に対処する信号変調方法及び装置の必要性がある。多規格／マルチ周波設計は、完全に統合可能で、安価かつ高性能であることが望ましい。
発明の概要
本発明の目的は、従来技術における不利益の少なくとも１つを取り除くまたは緩和する、新規な変調及び復調方法及びシステムを提供することである。
【００１７】
本発明の第１の局面は、入力信号ｘ（ｔ）を出力信号ｙ（ｔ）に変調する回路として規定される。該回路は、第１ミキサと、第２ミキサと、スイッチと、第１信号発生器と、第２信号発生器とを備える。第１ミキサには、ＲＦ信号と第１混合信号ｆ１とが入力されて、この２つの入力信号を基に混合された信号が出力される。第２ミキサには、ＲＦ信号と第２混合信号ｆ２とが入力されて、この２つの入力信号を基に混合された信号が出力される。この出力が出力信号ｙ（ｔ）を提供し、第１ミキサの出力は、第２ミキサのＲＦ信号入力に接続されている。スイッチには、入力が１つと出力が２つある。入力としては、入力信号ｘ（ｔ）を受け取る。２つの出力は、第１ミキサ及び第２ミキサのＲＦ信号入力のそれぞれに接続されている。スイッチは、入力信号ｘ（ｔ）を第１ミキサまたは第２ミキサのいずれかに入力するように選択的に制御される。第１信号発生器は、マルチトーン混合信号φ１を生成して、第１混合信号として第１ミキサに提供する。第２信号発生器は、モノトーン混合信号φ２を生成して、第２混合信号として第２ミキサに提供する。制御回路は、スイッチの位置と、第１信号発生器及び第２信号発生器により生成された信号を制御する。制御回路には２つのモードがある。第１モードでは、入力信号ｘ（ｔ）が第２ミキサに入力され、第２信号発生器により、直接変換型発振信号が生成される。第２モードでは、入力信号ｘ（ｔ）が第１ミキサに入力され、第１及び第２信号発生器が制御されて、一対の仮想局部発振信号が生成される。φ１＊φ２の積は、局部発振器信号がエミュレートされる周波数で著しい力（パワー）を有する。入力信号ｘ（ｔ）またはＬＯ信号がエミュレートされるキャリア周波数においては、φ１及びφ２のどちらも著しい力を有しない。
【００１８】
本発明の別の局面は、入力信号ｘ（ｔ）を出力信号ｙ（ｔ）に変調する回路として規定される。該回路は、第１ミキサと、第２ミキサと、第１信号発生器と、第２信号発生器とを備える。第１ミキサには、ＲＦ信号と第１混合信号ｆ１とが入力されて、この２つの入力信号を基に混合された信号が出力される。第２ミキサには、ＲＦ信号と第２混合信号ｆ２とが入力されて、この２つの入力信号を基に混合された信号が出力される。この出力が出力信号ｙ（ｔ）であり、第１ミキサの出力は、第２ミキサのＲＦ信号入力に接続されている。第１信号発生器は、マルチトーン混合信号φ１または定値信号を生成して、第１混合信号として第１ミキサに提供する。第２信号発生器は、モノトーン混合信号φ２を生成して、第２混合信号として第２ミキサに提供する。制御回路は、第１信号発生器及び第２信号発生器により生成された信号を制御する。制御回路には２つのモードがある。第１モードでは、第１信号発生器が制御されて定値信号が生成されるとともに、第２信号発生器が制御されて直接変換型発振信号が生成される。第２モードでは、第１及び第２信号発生器が制御されて、一対の仮想局部発振信号が生成される。φ１＊φ２の積は、局部発振器信号がエミュレートされる周波数で著しい力を有する。入力信号ｘ（ｔ）またはＬＯ信号がエミュレートされる周波数においては、φ１及びφ２のどちらも著しい力を有しない。
【００１９】
本発明のこれらの及びその他の特徴は、添付の図面に参照される以下の記載からより明らかになるであろう。
発明の詳細な説明
上述した数多くの目的を解決する回路は、図２にブロック図として示されている。この図は、入力信号ｘ（ｔ）を２つの混合信号φ１及びφ２と混合する（「擬似直接変換」モード）ことにより、あるいは、１つの混合信号φ２と混合する（「直接変換」モード）ことにより、入力信号ｘ（ｔ）を出力信号ｙ（ｔ）にアップコンバートするモジュレータトポロジ５０を提示している。
【００２０】
直接変換トランシーバは、１つのミキサと１つの局部発振器とを用いて、一足飛びにアップコンバージョン及びダウンコンバージョンを行う。ベースバンドからキャリア周波数への信号のアップコンバージョンの場合には、所望のキャリア周波数に等しい周波数の局部発振器信号φ２が必要とされる。
【００２１】
以下に記載するように、擬似直接変換に使用される、これら２つの混合信号φ１及びφ２は、通常の２段階変換トポロジ（間接変換またはスーパーヘテロダイントポロジ等）で使用される混合信号とは非常に異なっている。主な違いは、２つの擬似直接変換混合信号は、通常の直接変換の欠点なしで、単一の直接変換混合信号をエミュレートするのに使用されることである。
【００２２】
直接変換には、単純化された周波数プランニング、低価格実装、多重変調方式との互換性、という利点がある。しかしながら、直接変換では、単一の集積回路において、（満足できる性能を維持する間）電力及びゲイン制御が制限される。
【００２３】
本願のトランスミッタは、直接変調及び擬似直接変調の両方の利点を利用する。高出力／高ゲイン制御設定では、トランスミッタは、直接モジュレータとして構成される。低出力／低ゲイン制御設定では、トランスミッタは、擬似直接モジュレータとして構成される。この結果として、統合された、設定変更可能な、マルチモードのトランスミッタを得る。この新規のトランスミッタの利点は、単純化された周波数プランニング、低価格実装、多重変調方式との互換性、広範囲にわたる出力／ゲイン制御である。
【００２４】
上述したように、本発明の代表的なトポロジは、図２のブロック図に示されている。簡略化のために、この回路は、差分信号または同相及び直交信号コンポーネントなしで示されている。しかしながら、この回路は、そのような使用に容易に適応できる。
【００２５】
このトポロジにおいて、入力信号ｘ（ｔ）は、コントローラ５４により制御されるスイッチ５２に入力される。コントローラ５４は、直接変調及び擬似直接変調間で動作トランスミッタモードを選択するために使用される。直接モジュレータとしての動作の場合、スイッチ５２は、入力信号ｘ（ｔ）をミキサ５６に入力する。擬似直接変調の場合、スイッチ５２は、入力信号ｘ（ｔ）をミキサ５８に入力する。
【００２６】
コントローラ６４はまた、２つの変調信号発生器φ１  ６０及びφ２  ６２の動作を制御する。
代表的な応用において、コントローラ５４は、高出力／ゲイン制御設定では、動作モードを直接変調に設定し、低出力／低ゲイン制御設定では、動作モードを擬似直接変調に設定する。直接変調モードでは、φ２信号発生器６２のみが使用され、擬似直接変調モードでは、φ１及びφ２発生器６０、６２の両方が必要とされる。
【００２７】
コントローラ５４のモードは、「ＴＸＭＯＤＥ」と表示される入力信号により制御される。ＴＸＭＯＤＥ信号は、数多くの方法で生成可能であるが、通常、デジタル信号プロセッサ（ＤＳＰ）またはＡＳＩＣ（特定用途向け集積回路）により生成される。
【００２８】
直接変調モードでは、コントローラ５４が、混合信号φ２の周波数を設定する。混合信号φ２は、φ２信号発生器６２により、所望のキャリア周波数をもつように生成される。
擬似直接変調モードでは、コントローラ５４は、φ１及びφ２混合信号発生器６０、６２を調整して、一対の「仮想局部発振」（ＶＬＯ）信号φ１及びφ２を生成する。これらの混合信号φ１及びφ２は、ここでは、通常、ＶＬＯ信号として参照される。なぜなら、それらは、局部発振信号をエミュレートするからである。φ１＊φ２の積は、局部発振信号がエミュレートされる周波数で著しい力（パワー）をもつ。しかしながら、ＬＯ信号または出力信号φ１φ２ｘ（ｔ）がエミュレートされる場合、φ１及びφ２のどちらも入力信号ｘ（ｔ）の周波数で著しい力をもつことはない。このような特徴を有する混合信号は、自己混合（セルフミキシング）の問題を大いに解決する。なぜなら、ＶＬＯ信号は、単純に、出力信号に干渉する周波数においては、著しい力を持たないからである。
【００２９】
これらのＶＬＯ信号について、以下に、より詳細に記載する。代表的な一対のφ１及びφ２混合信号を時間対振幅でプロットしたものを図３に示す。図３に示すように、これらの混合信号のうちの１つが「マルチトーン」信号（マルチトーンまたは非モノトーンとは、１つ以上の基本周波数トーンを有する信号を称する。モノトーン信号は、１つの基本周波数トーンをもち、その他に基本トーンと調和的に関連するトーンをもつ）である一方で、もう一方の混合信号は、モノトーン信号である。両方の信号が、マルチトーンであってもよい。
【００３０】
図３でφ１を生成するために使用される発振信号ｆ１は、φ２の４倍の周波数で動作している。したがって、φ１は、単純な論理演算φ２ＸＯＲφ１から生成することができる。同様に、これら２つの混合信号の積、φ１＊φ２、は明らかに所望のＬＯ信号に等しい。したがって、擬似直接変換トポロジの出力ｙ（ｔ）＝φ１φ２ｘ（ｔ）は、仮想ＬＯ＊Ｘ（ｔ）ダウンコンバージョンの出力に等しくなる。
【００３１】
しかしながら、回路の動作におけるどの時点も、これまでに生成された実際の「φ１＊φ２」信号ではなく、もしそうであるとしたら、ほんの少量が生成されるのみであることに留意することが重要である。ミキサ５６，５８は、個々のφ１及びφ２信号を受け取り、異なる物理コンポーネントを使用して、それらを入力信号ｘ（ｔ）と混合する。この結果、回路に漏れるＬＯ信号はない。
【００３２】
図３からこれらの混合信号の１周期に注目すると、φ１＊φ２信号の生成が明らかになる。
【００３３】
【表１】
2006515498.tif 000003
【００３４】
明らかに、図３の２つの混合信号は、効果的なＶＬＯ信号の基準を満足する。
この実施例の唯一の問題は、ｆ１が、ＬＯ信号がエミュレートされる周波数で力をもち、この結果、それを分離し、起こるかもしれない自己混合を最小化するための注意が必要である点である。これは、従来技術で知られている標準的なアナログ設計及びレイアウト技術を利用して行うことができる。これらの技術には、例えば、以下が含まれる。
【００３５】
１．発振器をチップ上に配置する。発振器がチップ上にあれば、集積回路ピン及びプリ        ント基板のトラックが、発振信号を放出するアンテナの役割を果たす。あるいは        、
２．ｆ１より高い周波数で動作する発振器を使用し、分配器を使用してｆ１をダウンコ        ンバートする。以下に記載の実施例においては、特に効力を発揮する再生分配器        が使用される。
ＶＬＯ混合信号及びそれらを再生する方法については、以下に詳細に記載されるとともに、出願人の複数の同時係属特許出願に記載されている。
【００３６】
２つのミキサ５６及び５８のための具体的な設計パラメータは、当業者には明らかであることに留意されたい。それらは、関連する雑音指数、直線性応答、変換ゲインの代表的な特質を有する。これらのミキサの選択及び設計は、従来技術で知られた基準に従う。その他のコンポーネントの設計もまた、本願の教示から当業者には明らかであることだろう。
【００３７】
図２から、様々な要素がアナログ形態で実装されていることが暗示されるが、それらをデジタル形態で実装することもできる。混合信号は、本願においては、通常、二進法の１ｓ及び０ｓで表される。しかしながら、バイポーラ波形の±１もまた使用される。バイポーラ波形は、通常、スペクトル拡散の適用において使用される。なぜなら、それらは、局部制御信号に合わせて、それらへの入力を周期的に逆転させる転流ミキサを使用するからである（この逆転処理は、信号を局部発振信号と直接混合することとは異なる）。
【００３８】
本発明のトポロジは、完全に統合可能な回路を用いて、入力信号ｘ（ｔ）が効果的にダウンコンバートされるようにすることである。これはまた、多規格／マルチ周波装置の開発に適用された場合、特に便利である。なぜなら、フィルタが不要であり、混合信号を非常に容易に生成及び変化させることが可能であるからである。この利点は、以下の記載からより明確になるであろう。
【００３９】
本発明のその他の利点もまた、いかに記載の本発明のその他の実施例から明らかになるであろう。
本発明の数多くのその他の実施例を以下に記載する。
発明の好ましい実施例の説明
本発明の好ましい実施例を、図４にブロック図として示す。このトポロジは、図２のそれとほぼ同じである。主な違いは、図４のトポロジは、同相（Ｉ）及び直交（Ｑ）信号コンポーネントを扱い、また、全ての信号が異なるモードで扱われることである。図４のトポロジもまた、いくつもの可変ゲイン増幅器を備える。可変ゲイン増幅器により、特に多規格／マルチ周波の適用下においては、自由度が増し、パフォーマンスが改善される。
【００４０】
差分信号は、アースに関して単一の電位のみを備えた信号というよりは、アースに関して陽電位及び陰電位を備えた信号である。差分アーキテクチャの使用により、図２及び３に示すアーキテクチャより同相雑音の影響を受けにくいより強力な出力信号が生じる。例えば、環境雑音が、図２の入力値ｘ（ｔ）に雑音信号を与える場合、この雑音信号は回路中に伝播する。しかしながら、この環境雑音が、差分回路のＩＰ及びＩＮ信号入力に等しく与えられるならば、結局の効果はゼロになる。差動増幅器、ミキサ、スイッチは、従来技術において十分に知られている。
【００４１】
図４のトポロジ８０はまた、同相（Ｉ）及び直交（Ｑ）信号コンポーネントを扱うように設計されている。多くの変調方式において、入力信号の同相（Ｉ）及び直交（Ｑ）信号コンポーネントの両方を変調または復調する必要がある。簡単に言うと、これらは、互いに位相が９０度ずれた信号コンポーネントである。
【００４２】
個別のＩ及びＱ信号コンポーネントについては、個別のＩ及びＱ信号コンポーネントが生成されなければならない。擬似直接変換の場合、４つの混合信号が生成されなければならない：φ１Ｑから位相が９０度ずれたφ１Ｉ、φ２Ｑから位相が９０度ずれたφ２Ｑ。信号φ１Ｉ及びφ２Ｉの対は、φ１Ｑ及びφ２Ｑの信号対がそうでなければならないように、上述したＶＬＯ混合信号の機能選択基準に合致しなければならない。
【００４３】
このようなφ１Ｉ、φ１Ｑ，φ２Ｉ、φ２Ｑ信号を生成するコンポーネントの設計は、当業者には本願の記載から明らかであろう。同様に、このような信号の生成についての追加の詳細は、ＰＣＴ国際出願番号ＰＣＴ／ＣＡ００／００９９４、ＰＣＴ／ＣＡ００／００９９５、ＰＣＴ／ＣＡ００／００９９６として出願された同時係属特許出願において入手可能である。
【００４４】
図４のブロック図に戻ると、差分信号伝達が全体にわたって使用されており、それらは、通例、Ｐ及びＮラベルによって表示されている。入力信号の同相及び直交コンポーネントは、それぞれＩ及びＱとして扱われ、２つの別個の信号チャネルで扱われるとともに変調されて、変調の終了後、１つの結合信号に統合される。
【００４５】
図４の差動増幅器Ａ１及びＡ２は、ベースバンド信号の入力対、ＩP、ＩN及びＱP、ＱNをバッファリングして増幅する。ＩPは、入力信号の正の同相コンポーネントであり、ＩNは、入力信号の負の同相コンポーネントである。同様に、ＱPは、入力信号の正の直交相コンポーネントであり、ＱNは、入力信号の負の直交相コンポーネントである。これら２つの増幅器Ａ１及びＡ２は、直接変調動作モード及び擬似直接変調動作モードの両方において使用されることに留意されたい。
【００４６】
２つの信号対は、差分スイッチＳＷ１及びＳＷ２に渡される。スイッチＳＷ１及びＳＷ２は、回路ブロックＣ１を介して制御され、直接変調及び擬似直接変調間の動作トランスミッタモードを選択するのに使用される。直接モジュレータとしての動作の際は、スイッチＳＷ１及びＳＷ２は、増幅器Ａ１及びＡ２の出力をミキサＭ３及びＭ４それぞれの入力に接続する。擬似間接変調の際には、スイッチＳＷ１及びＳＷ２は、増幅器Ａ１及びＡ２の出力をミキサＭ１及びＭ２それぞれの入力に接続する。
【００４７】
回路ブロックＣ１は、スイッチＳＷ１及びＳＷ２、及び、回路ブロックＬ１の変調信号発生器８２及び８４の制御を介して、直接変調及び擬似直接変調間で動作トランスミッタモードを選択する。代表的な応用では、回路ブロックＣ１は、直接変調動作モードをより高い出力／ゲイン制御設定で設定し、擬似直接変調動作モードをより低い出力／ゲイン制御設定で設定する。
【００４８】
直接変換モードにおいては、回路ブロックＬ１の信号発生器８４のみが使用される一方で、擬似直接変換モードにおいては、発生器８２及び８４の両方が必要とされる。上述したように、直接変換モードでは、信号発生器８４は、（キャリア周波数で）単一のφ２変調信号のための一対のＩ及びＱ信号コンポーネントを生成する。擬似直接変換モードでは、信号発生器８２により、２つの混合信号：φ１Ｉ、φ１Ｑが生成されなければならず、信号発生器８４により、２つの混合信号：φ２Ｉ、φ２Ｑが生成されなければならない。
【００４９】
混合信号を生成するために、入力差分局部発振信号ＬＯP及びＬＯNが、回路ブロックＬ１により使用される。これらの局部発振信号は、好ましくは、使用されている実際の混合信号の倍数または分数の周波数をもつ。このことは、有用なデータに干渉しうる、信号パスへのＬＯの漏れを最小限にするためには望ましい。図４の回路において、信号ＬＯP及びＬＯNは、内部で使用されている実際のＬＯの２倍の周波数をもち、これらの信号は、回路ブロック／２を使用して２で割られる。
【００５０】
本発明のこの実施例では、回路ブロックＣ１のモードは、「ＴＸＭＯＤＥ」で示される入力信号により制御される。ＴＸＭＯＤＥ信号は、数多くの方法で生成可能であるが、通常、デジタル信号プロセッサ（ＤＳＰ）またはＡＳＩＣ（特定用途向け集積回路）により生成される。
【００５１】
差動増幅器Ｍ１及びＭ２は、擬似直接変調動作モードにおいて使用される。それらは、単純に、上述した差分φ１信号を使用して、ベースバンド入力信号を混合する。したがって、ミキサＭ１及びＭ２の出力は、擬似ＩＦ信号である。
【００５２】
その後、差動増幅器Ａ３及びＡ４が擬似直接変調動作モードにおいて使用されて、擬似ＩＦ信号の信号ゲイン及び力を変化させる。増幅の程度は、外部制御信号ＧＣ１を介して制御され、擬似直接変調モードにおける回路の動作が最適化される。
【００５３】
差動増幅器Ｍ３及びＭ４は、直接変調動作モード及び擬似直接変調動作モードの両方において使用され、受け取った信号を混合して、最終のＲＦ周波数信号を生成する。回路が、直接変調モードにある場合には、回路ブロックＣ１は、混合信号φ２Ｉ及びφ２Ｑが、単純に、所望のキャリア周波数をもつ発振信号となるようにする。回路が擬似直接変調モードにある場合には、回路ブロックＣ１は、信号発生器８２及び８４を制御して、ＶＬＯ混合信号φ１Ｉ、φ１Ｑ及びφ２Ｉ及びφ２Ｑの相補対を生成する。
【００５４】
図４のコンポーネントは、全て差動であるために、これらの混合信号もまた差動でなければならない。差分混合信号φ１Ｐ／φ１Ｎ及びφ２Ｐ／φ２Ｎの代表的な対を生成する方法を図５に示す。図５の信号は、相補Ｐ及びＮコンポーネントが必要である以外、図３のものと同じである。すなわち、差分発振信号ｆ１Ｐ／ｆ１Ｎは、差分混合信号φ２Ｐ／φ２Ｎの４倍の周波数で伝わる。この信号ｆ１Ｐ／ｆ１Ｎは、単純に、φ２ＸＯＲｆ１の論理演算を使用して、差分混合信号φ１Ｐ／φ１Ｎを生成可能である。混合信号φ１Ｐ＊φ１Ｎ及びφ２Ｐ＊φ２Ｎの積は、明らかに、エミュレートされるＬＯ信号に等しい。Ｉ及びＱ混合信号の生成は、同様の方法で行われる。
【００５５】
動作モードに関係なく、同相及び直交信号パスは、差分加算器Σを使用して統合される。その後、差動可変ゲイン増幅器Ａ５を使用して、外部制御信号ＧＣ２を介してＲＦでの信号ゲイン及び力を変化させる。最後に、差動増幅器Ａ６を使用して、結果として得られる変調されたＲＦ信号をバッファリングして増幅する。
【００５６】
当然、加算器Σ、可変ゲイン増幅器Ａ５、増幅器Ａ６は、直接変調及び擬似直接変調モードの両方において使用されることに留意されたい。
本発明の他の実施例
本発明の他の実施例を図６のブロック図に示す。
【００５７】
この回路は、図４の回路とほぼ同じであり、全ての増幅器、ミキサ、加算器は、同様に動作する。同様に、この回路もまた２つのモード：直接変換及び擬似直接変換、で動作する。２つの回路の最も顕著な違いは、スイッチＳＷ１及びＳＷ２が除かれ、２つのスイッチＳＷ３及びＳＷ４に置き換えられていることである。ＳＷ３及びＳＷ４は、差動増幅器Ａ３，Ａ４及び差動ミキサＭ３，Ｍ４の間に配置されている。これら２つのスイッチＳＷ３、ＳＷ４は、新規の差分フィルタＦ１，Ｆ２を回路の内または外に配置するために使用される。後述するように、回路が直接変換モードの間は、新規のローパスフィルタＦ１，Ｆ２が使用される。
【００５８】
ブロック図からは明らかではないが、回路ブロックＣ２，回路ブロックＬ２、差分変調信号発生器９２及び９４の動作もまた、図４の対応するコンポーネントの動作とはまったく異なる。
【００５９】
上述したように、図６の回路は、回路ブロックＣ２への「ＴＸＭＯＤＥ」入力により制御されて、２つのモードのうちの一方のモードで動作する。回路が直接変換モードの場合、
１．回路ブロックＣ２は、変調信号発生器９２に指示を出し、定値信号（そなわち、ＤＣ      信号）を生成させる。差動ミキサＭ１，Ｍ２の出力は、入力信号の積であり、その      ため、（入力ｘ定数）は、入力と同じ周波数をもつ出力となり、２つの差動ミキサ      Ｍ１，Ｍ２は、周波数変換なしで、単純に直線ゲイン要素として動作する。
２．回路ブロックＣ２は、２つのスイッチＳＷ３、ＳＷ４を切り替えて、ローパスフィル      タＦ１，Ｆ２を回路内に配置する。これは、（必要であれば）直接変調モードにお      ける雑音及び擬似パフォーマンスを改善するためになされる。当然、フィルタは、      あらゆるケースについて必要とは限らず、システム要件により、その他のフィルタ      方法が代用されてもよい。
３．回路ブロックＣ２は、変調信号発振器９４に指示を出し、通常の直接変換混合信号を      生成する。生成された信号は、差動ミキサＭ３，Ｍ４に入力される。
擬似直接変換モードの場合は、
１．回路ブロックＣ２は、変調信号発振器９２，９４に指示を出し、上述したＶＬＯ混合      信号を生成する。
２．回路ブロックＣ２は、２つのスイッチＳＷ３、ＳＷ４を切り替えて、ローパスフィル      タＦ１，Ｆ２を回路外に配置する。
【００６０】
これらの変更は別として、この回路は、基本的に図４と同じコンポーネントを使用し、ほぼ同じ動作をする。
仮想局部発振信号
ＶＬＯ信号一式の代表的なものを上述した。この章の目的は、ＶＬＯ信号をより一般的な方法で提供することである。いくつものＶＬＯ信号を、本発明が実装可能な方法により生成することができる。
【００６１】
周期混合信号あるいは時変混合信号は、従来使用されてきたモノトーン発振信号に優る利点を提供する。任意のこれらの仮想局部発振（ＶＬＯ）信号一式φ１及びφ２は、以下の性質を備える：
１．それらの積は、入力信号ｘ（ｔ）を所望の出力周波数に変換するのに必要な周波数で      著しい力をもつ局部発振（ＬＯ）信号をエミュレートする。例えば、入力信号ｘ（      ｔ）をレシーバのベースバンドに変換するには、φ１＊φ２は、ｘ（ｔ）のキャリ      ア周波数で周波数コンポーネントを有しなければならない。また、
２．φ１及びφ２のいずれか一方は、ミキサ対の出力φ１＊φ２＊ｘ（ｔ）の周波数の周      辺で最小の力をもつが、他方は、入力信号ｘ（ｔ）の中心周波数ｆRFの周辺で最小      の力をもつ。「最小の力」とは、力が、特定の応用において、ＲＦチェーンのパフ      ォーマンスをひどく低下させない程度に低いことを意味する。
【００６２】
例えば、ミキサ対が、入力信号ｘ（ｔ）をレシーバのベースバンドに復調する場合      、φ１及びφ２のいずれか一方が、ＤＣの周辺で最小の力をもつのが好ましい。
この結果、所望の復調が行われるが、ＬＯ信号が信号パスに漏れたり、出力に現れることは、ほとんどあるいは全くない。
【００６３】
上述したように、２つの信号を混合すると、以下の出力が生成される：
（ａ）入力信号の周波数の和に等しい周波数をもつ信号、
（ｂ）入力信号の周波数間の差に等しい周波数をもつ信号、
（ｃ）元の入力周波数。
したがって、従来技術で知られる直接変換レシーバは、入力信号ｘ（ｔ）のキャリア周波数で、入力信号ｘ（ｔ）をＬＯ信号と混合しなければならない。直接変換レシーバのＬＯ信号が信号パスに漏れる場合には、ＬＯ信号もまた、入力信号ｘ（ｔ）とともにベースバンドに復調され、干渉を引き起こす。本発明は、ＬＯ信号を使用しないので、漏れにより、ベースバンド出力φ１（ｔ）＊φ２（ｔ）＊ｘ（ｔ）の信号が生成されることはない。
【００６４】
混合信号φ１及びφ２のいずれかの入力信号ｘ（ｔ）または出力信号φ１（ｔ）＊φ２（ｔ）＊ｘ（ｔ）の周波数をもつどの信号コンポーネントも、その他の混合信号により抑制されるかまたは排除される。例えば、混合信号φ２が、アップコンバートされたＲＦ（出力）信号の帯域幅でいくらかの力をもち、信号パスに漏れる場合、アップコンバートされたＲＦ（出力）信号の帯域幅で最小の力をもつφ１混合信号により抑制される。この相補混合は、混合信号φ１及びφ２からの干渉を抑制する。
【００６５】
上述したように、現在のレシーバ及びトランスミッタ技術には、いくつかの問題がある。例えば、直接変換トランシーバは、その性能を制限してしまうＬＯ漏れ、及び、１／ｆ雑音問題に苦しむ一方、ヘテロダイントランシーバは、高レベルのパフォーマンスのチップ上に実装するのが難しいイメージリジェクション技術を必要としている。
【００６６】
高度に統合されたトランシーバにおけるイメージリジェクション、ＬＯ漏れ、１／ｆ雑音の問題は、相補ＶＬＯ信号を使用することにより解消することができる。これらの信号は相補的であり、φ１及びφ２のうちの一方が、出力信号ｙ（ｔ）の周波数の周辺（変換がベースバンドへの場合はＤＣ周辺）で最小の力をもち、他方は、入力信号ｘ（ｔ）の中心周波数ｆRFの周辺で最小の力をもつ。
【００６７】
これらの信号φ１及びφ２は、一般に、以下のようなものである。
１．ランダムまたは擬似ランダムな、時間の周期関数。
２．アナログまたはデジタル波形。
３．従来または非従来のバイポーラ波を使用して構成されている。
４．平均するとゼロになる。
５．振幅変調されている。
６．数多くの方法で生成される。すなわち、
ａ．メモリに記憶され、クロック出力される。
【００６８】
ｂ．デジタルブロックを使用して生成される。
ｃ．雑音整形要素（例えば、デルタ−シグマ要素）を使用して生成される。
ｄ．ＰＮ系列を使用し、追加のビットを挿入して構成される。これにより、上記の      条件を満たす。
【００６９】
本発明の利点を多かれ少なかれ提供する仮想ＬＯ信号が生成されることが、当業者には明らかであろう。ＬＯ漏れがほとんど起きない状況がある一方で、ある程度のＬＯ漏れを許してしまう仮想ＬＯ信号を組み入れる別の状況も容認できる。
【００７０】
仮想局部発振信号はまた、異なる形態で生成されてもよく、例えば、上述した２つの混合信号ではなく３つ以上の相補信号を使用してもよい。これら及びその他の変形例は、以下の同時係属特許出願に記載されている。
１．ＰＣＴ国際出願番号ＰＣＴ／ＣＡ００／００９９５、２０００年９月１日出願、タイ      トル「無線周波数（ＲＦ）信号のアップコンバージョンのための改良法及び装置」      
２．ＰＣＴ国際出願番号ＰＣＴ／ＣＡ００／００９９４、２０００年９月１日出願、タイ      トル「無線周波数（ＲＦ）信号のダウンコンバージョンのための改良法及び装置」      
３．ＰＣＴ国際出願番号ＰＣＴ／ＣＡ００／００９９６、２０００年９月１日出願、タイ      トル「無線周波数（ＲＦ）信号のアップコンバージョン及びダウンコンバージョン      のための改良法及び装置」
発明の効果
本発明は、従来知られている他のアップコンバータに優る多くの利点を備える。第一に、以下を提供する。
１．イメージングの問題が最小である。
２．ＲＦ出力バンドへの局部発振（ＬＯ）信号の漏れが最小である。
３．スーパーヘテロダイン回路、及び、様々な（しばしば外部の）フィルタに必要とされ      る、第２のＬＯの必要がない。
４．必要なコンポーネントが、容易に集積回路上に載せられるため、より高いレベルの統      合性もつ。例えば、大きなキャパシタや高性能なフィルタは不要である。
【００７１】
高レベルな統合性により、ＩＣ（集積回路）ピンの数が削減され、信号電力損失が      縮小し、ＩＣ電力要件が減少し、ＳＮＲ（信号対雑音比）が改良され、ＮＦ（雑音      指数）が改良され、製造のコスト及び複雑さが減少する。
【００７２】
本発明の設計はまた、安価で、設定変更が可能な、多規格／マルチ周波通信トランスミッタ及びレシーバの製造を現実のものにする。本願の背景の部分で述べたように、多重トランスミッタは、多重モード（規格）に対応するように設計されなければならなかった。この結果、コストがかかり、物理サイズが大きくなった。対照的に、本願は、非常に柔軟性があり、設定変更可能なトポロジを提供する。可変ゲイン増幅器Ａ３，Ａ４，Ａ５からのゲインの程度が変更できるように、発振信号を電子的に容易に変更することができる。
【００７３】
本発明の利点は、単一チップ設計で実装されるときに最も明らかになる。その場合、相互接続セミコンダクタ集積回路装置の余分なコストが排除され、それらが必要とする物理空間が縮小され、全体の消費電力が削減される。統合性のレベルを上げることは、集積回路が出現したときからずっと、より低価格、より高容量、より高い信頼性、より消費電力の少ない電子機器への推進力であった。本発明は、通信装置が、ほかの消費電子製品が利益を享受したのと同じ統合ルートに従うことを可能にする。
その他の選択肢及び代替となる例
以下を含む数多くの変形を、本発明のトポロジに施すことができる：
１．本発明は、バイポーラ技術、ＣＭＯＳ技術、ＢｉＣＭＯＳ技術、あるいは、シリコン      ／ゲルマニウム（ＳｉＧｅ），ゲルマニウム（Ｇｅ），ガリウムヒ素（ＧａＡｓ）      、シリコンオンサファイア（ＳＯＳ）を含むがそれらに制限されない他のセミコン      ダクタ技術を使って実装可能である。
２．例えば、電圧制御発振器（ＶＣＯ）を使用するといった、多くの方法により、混合信      号を生成することができる。ＶＣＯを入力信号の周波数でもつことにより、自己混      合が起きることを可能にする。なぜなら、プリント基板（ＰＣＢ）のトラック及び      集積回路のピンが、ＬＯ信号放出用のアンテナとして働くからである。ＶＣＯを入      力信号ｘ（ｔ）とは異なる周波数で使用すること、周波数分配器または乗算器をチ      ップ上に配置することにより、自己混合の可能性は最小化される。
３．制御回路Ｃ１と制御信号ＧＣ１及びＧＣ２とが単一の回路に統合されて、出力／ゲイ      ン及び動作モードを制御する。
４．本発明は、以下を含む様々な通信プロトコル及びフォーマットに適用できる：振幅変      調（ＡＭ）、周波数変調（ＦＭ）、周波数偏位変調（ＦＳＫ），位相偏位変調（Ｐ      ＳＫ）、携帯電話システム（符号分割多重接続（ＣＤＭＡ），時間分割多元接続（      ＴＤＭＡ）、周波数分割多元接続（ＦＤＭＡ）などのアナログ及びデジタルシステ      ムを含む）。
５．本発明のトポロジに使用されるミキサは、受動的あるいは能動的のどちらであっても      よい。能動ミキサは、受動ミキサとは数多くの点で異なる：
ａ．能動ミキサは、変換ゲインを提供する。したがって、能動ミキサは、低雑音増幅器及び受動ミキサの組み合わせに置き換わることができる。
【００７４】
ｂ．能動ミキサは、能動コンポーネントのインピーダンスのために、入力及び出力ポート間をよりうまく分離する。
ｃ．能動ミキサでは、より低出力の混合信号を使用できる。
【００７５】
結論
本発明が、２つまたは３つ以上の規格に対処するように拡張可能であり、上記のもの以上に偏った条件を許容することが、当業者には明らかであろう。
【００７６】
本発明の電子回路は、コンピュータソフトウェアコードにより、シミュレーション言語で、あるいは、集積回路を製造するのに使用されるハードウェア開発言語で記載可能である。このコンピュータソフトウェアコードは、コンピュータディスク、ＣＤ−ＲＯＭ，ランダムアクセスメモリ（ＲＡＭ）、リードオンリーメモリ（ＲＯＭ）を含む様々な電子メモリ媒体上に、様々なフォーマットで記憶されることができる。また、そのようなコンピュータソフトウェアコードを表す電子信号もまた、通信ネットワークを介して送信可能である。
【００７７】
明らかに、このようなコンピュータソフトウェアコードもまた、他のプログラムのコードに統合されることができ、外部プログラム呼び出し、あるいは、従来技術から既知のその他の技術により、コアまたはサブルーチンとして実装される。
【００７８】
本発明の実施例は、デジタル信号プロセッサ（ＤＳＰ）、マイクロコントローラ、マイクロプロセッサ、フィールドプログラマブルゲートアレイ（ＦＰＧＡ）、あるいは、別々のコンポーネントを使用した、様々な種類の集積回路技術に実装可能である。このような実装は、当業者には明らかであるだろう。
【００７９】
本発明は、ローカルエリアネットワーク（ＬＡＮ）、２地点間通信、インターネットのような広域ネットワーク（ＷＡＮ）などのコンピュータ通信システムを含む有線通信システムに応用できる。また、無線通信システムは、ＡＭ及びＦＭラジオ、ＵＨＦ及びＶＨＦテレビなどの公共放送のためのシステム、あるいは、携帯電話、専用ページング装置、ワイヤレスローカルループ、公益事業会社による家庭の監視、デジタルコードレスヨーロッパ遠距離通信（ＤＥＣＴ）規格を含むコードレス電話、移動無線システム、ＧＳＭ及びＡＭＰＳ携帯電話、マイクロ波基幹ネットワーク、ブルートゥース規格に基づく相互接続機器、衛星通信などの専用通信システムを含む。
【００８０】
本発明の具体的な実施例を示すとともに説明したが、本発明の真の要旨と精神から逸脱しない限り、それらの実施例への変更及び修正が可能であることは明らかである。
【図面の簡単な説明】
【００８１】
【図１】従来技術として知られるスーパーヘテロダイン変調トポロジのブロック図である。
【図２】本発明の広範囲な実施例におけるモジュレータトポロジのブロック図である。
【図３】本発明の広範囲な実施例における混合信号一式のタイミング図である。
【図４】本発明の一実施例における差分モジュレータトポロジのブロック図である。
【図５】本発明の一実施例における、時間対振幅でプロットされた差分混合信号一式のタイミング図である。
【図６】本発明の代わりの実施例における差分モジュレータトポロジのブロック図である。
【図１】
2006515498.tif 000004
【図２】
2006515498.tif 000005
【図３】
2006515498.tif 000006
【図４】
2006515498.tif 000007
【図５】
2006515498.tif 000008
【図６】
2006515498.tif 000009
【国際調査報告】
2006515498.tif 000010
2006515498.tif 000011